(57)【要約】【課題】  本発明は指等に嵌めて回転させることにより色、模様、形状のいずれかが変化して異なるデザインにして、楽しく使用することができ、飽きるのを防止するとともに、十分な高級感が得られ、かつ宝石、彫金、模様等の飾り部材の損傷を効率よく阻止することができるリングを得るにある。【解決手段】  少なくとも一部に金属材製のイニシャル記入あるいはサイズ直し部が介装された合成樹脂材、木材、布、紙、セラミックス、ガラス等の非金属材製の指等に嵌めることができるリング本体と、このリング本体の外周部に形成された溝状あるいは複数個の凹部状の飾り部材収納凹部と、この飾り部材収納凹部内に上面が外方へ突出しないように設けた、前記リング本体の指等に嵌める回転方向部位によって、色、模様、形状のいずれかが変化する部位に、少なくとも２個以上の宝石、彫金、模様等の飾り部材とでリングを構成している。【選択図】  図１
2008054733.tif 000002
【特許請求の範囲】
【請求項１】
少なくとも一部に金属材製のイニシャル記入あるいはサイズ直し部が介装された合成樹脂材、木材、布、紙、セラミックス、ガラス等の非金属材製の指等に嵌めることができるリング本体と、このリング本体の外周部に形成された溝状あるいは複数個の凹部状の飾り部材収納凹部と、この飾り部材収納凹部内に上面が外方へ突出しないように設けた、前記リング本体の指等に嵌める回転方向部位によって、色、模様、形状のいずれかが変化する部位に、少なくとも２個以上の宝石、彫金、模様等の飾り部材とからなることを特徴とするリング。
【請求項２】
貴金属も含む金属材製の指等に嵌めることができるリング本体と、このリング本体の外周部に形成された溝状あるいは複数個の凹部状の飾り部材収納凹部と、この飾り部材収納凹部内に上面が外方へ突出しないように設けた、前記リング本体の指等に嵌める回転方向部位によって、色、模様、形状のいずれかが変化する少なくとも２個以上の宝石、彫金、模様等の飾り部材とからなることを特徴とするリング。
【請求項３】
対向する部位に金属材製のイニシャル記入あるいはサイズ直し部が介装され、該部位以外の対向部位の色、模様、形状のいずれかが変化するように形成されたリング本体と、このリング本体の外周部に形成された溝状あるいは複数個の凹部状の飾り部材収納凹部と、この飾り部材収納凹部内に上面が外方へ突出しないように設けた、前記リング本体の指等に嵌める回転方向部位によって色、模様、形状のいずれかが変化する少なくとも２個以上の宝石、彫金、模様等の飾り部材とからなることを特徴とするリング。
【発明の詳細な説明】
【技術分野】
【０００１】
本発明は指輪やブレスレット等のリングに関する。
【背景技術】
【０００２】
従来の指輪は貴金属材でリング状に形成したり、このリング状のものに宝石を取付けたり、リングの表面に模様を形成したものである。
このため、従来の指輪は固定的なデザインとなるため、飽きてしまったり、気分に応じて色や模様、形状の異なるものを使用しようとすれば、複数個の指輪を用意しておかなければならないという欠点があった。
【０００３】
この欠点を解消するために、本願発明者が指等に嵌めて回転させることができるリング本体と、このリング本体に回転によって色、模様、形状のいずれかが変化するように２種類以上に形成された、色、模様、形状とからなるリングが考えられているが、十分な高級感が得られないという欠点があった。
【特許文献１】特開２００２−２８２０２４
【特許文献２】特開２００５−８０８０１
【発明の開示】
【発明が解決しようとする課題】
【０００４】
本発明は以上のような従来の欠点に鑑み、指等に嵌めて回転させることにより色、模様、形状のいずれかが変化して異なるデザインにして、楽しく使用することができ、飽きるのを防止するとともに、十分な高級感が得られ、かつ宝石、彫金、模様等の飾り部材の損傷を効率よく阻止することができるリングを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は少なくとも一部に金属材製のイニシャル記入あるいはサイズ直し部が介装された合成樹脂材、木材、布、紙、セラミックス、ガラス等の非金属材製の指等に嵌めることができるリング本体と、このリング本体の外周部に形成された溝状あるいは複数個の凹部状の飾り部材収納凹部と、この飾り部材収納凹部内に上面が外方へ突出しないように設けた、前記リング本体の指等に嵌める回転方向部位によって、色、模様、形状のいずれかが変化する部位に、少なくとも２個以上の宝石、彫金、模様等の飾り部材とでリングを構成している。
【発明の効果】
【０００７】
以上の説明から明らかなように、本発明にあっては次に列挙する効果が得られる。
【０００８】
（１）少なくとも一部に金属材製のイニシャル記入あるいはサイズ直し部が介装された合成樹脂材、木材、布、紙、セラミックス、ガラス等の非金属材製の指等に嵌めることができるリング本体と、このリング本体の外周部に形成された溝状あるいは複数個の凹部状の飾り部材収納凹部と、この飾り部材収納凹部内に上面が外方へ突出しないように設けた、前記リング本体の指等に嵌める回転方向部位によって、色、模様、形状のいずれかが変化する部位に、少なくとも２個以上の宝石、彫金、模様等の飾り部材とで構成されているので、指等に嵌めて回転させることにより、色、模様、形状のいずれかが異なるリングにできる。
したがって、気分に応じて最適な色、模様、形状を選択して使用することができる。
このため、従来のように複数個のリングを用意しておかなくてもよく、経済的に使用することができる。
【０００９】
（２）前記（１）によって、飾り部材収納凹部に宝石、彫金、模様等の飾り部材を設けるので、十分な高級感が得られる。
【００１０】
（３）前記（１）によって、飾り部材の上面は飾り部材収納凹部の上面より外方へ突出しないように設けられているので、飾り部材が脱落したり、損傷するのを確実に防止することができる。
【００１１】
（４）請求項２も前記（１）〜（３）と同様な効果が得られる。
【００１２】
（５）請求項３も前記（１）〜（３）と同様な効果が得られるとともに、リング本体に色、模様、形状のいずれかが変化するように形成されているので、リング本体の回転部位によって、より異なるリングに変化させることができる。
【発明を実施するための最良の形態】
【００１３】
以下、図面に示す本発明を実施するための最良の形態により、本発明を詳細に説明する。
【００１４】
図１ないし図６に示す本発明を実施するための最良の第１の形態において、１は本発明の指輪として使用されるリングで、このリング１は指に嵌めて回転させることができる少なくとも一部、本発明を実施する形態では対向する部位に金属材製のイニシャル記入あるいはサイズ直し部２、２が介装された合成樹脂材、木材、布、紙、セラミックス、ガラス等の非金属材製のリング本体３と、このリング本体３の外周部に形成された溝状の飾り部材収納凹部４と、この飾り部材収納凹部４内に上面が外方へ突出しないように設けた、前記リング本体３の指等に嵌める回転方向部位によって、色、模様、形状のいずれかが変化する部位に配置した少なくとも２個以上の宝石、彫金、模様等の飾り部材、本発明を実施する形態では４個の宝石５、５Ａ、５Ｂ、５Ｃとで構成されている。
【００１５】
前記リング本体３はイニシャル記入あるいはサイズ直し部２、２以外の対向するリング体３ａ、３ｂ部位は、色、模様が異なるようにメッキ、塗装、古美調メッキで着色や模様を形成する。
【００１６】
上記構成のリング１はイニシャル記入あるいはサイズ直し部２、２で、使用者の指に合うようにサイズ直しが行なわれるとともに、該部位にイニシャルが刻印される。
使用者はリング１を指に嵌めて、回転させて使用時に合う宝石５、５Ａ、５Ｂ、５Ｃ が見える部位に配置して使用することにより、複数種類のリングとして使用することができるとともに、飾り部材としての宝石５、５Ａ、５Ｂ、５Ｃは飾り部材収納凹部４内に位置しているため、直接該飾り部材としての宝石５、５Ａ、５Ｂ、５Ｃが脱落したり、損傷させるような外力が加わることなく、損傷を効率よく防止することができる。
[発明を実施するための異なる形態]
【００１７】
次に、図７ないし図４１に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図７ないし図１０に示す本発明を実施するための第２の形態において、前記本発明を実施するための最良の第１の形態と主に異なる点は、一方のリング体３ａ部位の飾り部材収納凹部４に飾り部材としての宝石５、５Ａを配置し、他方のリング体３ｂ部位の飾り部材収納凹部４に飾り部材としての彫金６、６Ａを配置した点で、このように構成したリング１Ａにしても、前記本発明を実施するための最良の第１の形態と同様な作用効果が得られる。
【００１９】
図１１ないし図１４に示す本発明を実施するための第３の形態において、前記本発明を実施するための最良の第１の形態と主に異なる点は、一方のリング体３ａ部位の飾り部材収納凹部４に飾り部材としての宝石５、５Ａを配置し、他方のリング体３ｂ部位の飾り部材収納凹部４に飾り部材としての模様を直接形成あるいは模様板７、７Ａを固定した点で、このように構成したリング１Ｂにしても、前記本発明を実施するための最良の第１の形態と同様な作用効果が得られる。
【００２０】
図１５ないし図１８に示す本発明を実施するための第４の形態において、前記本発明を実施するための最良の第１の形態と主に異なる点は、一方のリング体３ａ部位の飾り部材収納凹部４に飾り部材としての彫金６、６Ａを配置し、他方のリング体３ｂ部位の飾り部材収納凹部４に飾り部材としての模様を直接形成あるいは模様板７を固定した点で、このように構成したリング１Ｃにしても、前記本発明を実施するための最良の第１の形態と同様な作用効果が得られる。
【００２１】
図１９ないし図２２に示す本発明を実施するための第５の形態において、前記本発明を実施するための最良の第１の形態と主に異なる点は、一方のリング体３ａ部位の飾り部材収納凹部４に飾り部材としての１個の宝石５を配置し、他方のリング体３ｂ部位の飾り部材収納凹部４に飾り部材としての彫金６を配置した点で、このように構成したリング１Ｄにしても、前記本発明を実施するための最良の第１の形態と同様な作用効果が得られる。
【００２２】
図２３ないし図２６に示す本発明を実施するための第６の形態において、前記本発明を実施するための最良の第１の形態と主に異なる点は、リング本体３に凹部状の飾り部材収納凹部４Ａ、４Ａ、４Ａ、４Ａを形成し、該飾り部材収納凹部４Ａ、４Ａ、４Ａ、４Ａ内に飾り部材としての異なる宝石５、５Ａ、５Ｂ、５Ｃを設けた点で、このように構成したリング１Ｅにしても、前記本発明を実施するための最良の第１の形態と同様な作用効果が得られる。
なお、本発明を実施する形態では飾り部材としての異なる宝石５、５Ａ、５Ｂ、５Ｃに代えて、彫金、模様、宝石と彫金、宝石と模様、彫金と模様等に差し替えてもよい。
【００２３】
図２７ないし図３０に示す本発明を実施するための第７の形態において、前記本発明を実施するための第６の形態と主に異なる点は、貴金属材や金属材でリング本体３Ａを形成した点で、このようなリング本体３Ａを用いて構成したリング１Ｆにしても、前記本発明を実施するための第６の形態と同様な作用効果が得られる。
なお、リング本体３Ａに飾り部材としての宝石５、５Ａ、５Ｂ、５Ｃが配置された部位間が、イニシャル記入あるいはサイズ直し部２となる。
【００２４】
図３１ないし図３４に示す本発明を実施するための第８の形態において、前記本発明を実施するための第６の形態と主に異なる点は、一方のリング体３ａと他方のリング体３ｂと同じ色と模様にしたものを用いた点で、このように構成したリング１Ｇにしても、前記本発明を実施するための第６の形態と同様な作用効果が得られる。
【００２５】
図３５ないし図３８に示す本発明を実施するための第９の形態において、前記本発明を実施するための第６の形態と主に異なる点は、多角形状の半円状の一方のリング体３ｃと半円状の他方のリング体３ｂとを用いた点で、このように形成された一方のリング体３ｃと他方のリング体３ｂを用いて構成したリング１Ｈにしても、前記本発明を実施するための第６の形態と同様な作用効果が得られる。
【００２６】
図３９ないし図４１に示す本発明を実施するための第１０の形態において、前記本発明を実施するための最良の第１の形態と主に異なる点は、ブレスレットとして使用できるリング本体３Ｂにした点で、このように形成されたリング本体３Ｂを用いて構成したリング１Ｉにしても、前記本発明を実施するための最良の第１の形態と同様な作用効果が得られる。
【産業上の利用可能性】
【００２７】
本発明は指輪やブレスレット等のリングを製造する産業で利用される。
【図面の簡単な説明】
【００２８】
【図１】本発明を実施するための最良の第１の形態の使用状態の説明図。
【図２】本発明を実施するための最良の第１の形態の異なる使用状態の説明図。
【図３】本発明を実施するための最良の第１の形態の平面図。
【図４】本発明を実施するための最良の第１の形態の右側面図。
【図５】本発明を実施するための最良の第１の形態の左側面図。
【図６】図４の６−６線に沿う断面図。
【図７】本発明を実施するための第２の形態の平面図。
【図８】本発明を実施するための第２の形態の右側面図。
【図９】本発明を実施するための第２の形態の左側面図。
【図１０】図８の１０−１０線に沿う断面図。
【図１１】本発明を実施するための第３の形態の平面図。
【図１２】本発明を実施するための第３の形態の右側面図。
【図１３】本発明を実施するための第３の形態の左側面図。
【図１４】図１２の１４−１４線に沿う断面図。
【図１５】本発明を実施するための第４の形態の平面図。
【図１６】本発明を実施するための第４の形態の右側面図。
【図１７】本発明を実施するための第４の形態の左側面図。
【図１８】図１６の１８−１８線に沿う断面図。
【図１９】本発明を実施するための第５の形態の平面図。
【図２０】本発明を実施するための第５の形態の右側面図。
【図２１】本発明を実施するための第５の形態の左側面図。
【図２２】図２０の２２−２２線に沿う断面図。
【図２３】本発明を実施するための第６の形態の平面図。
【図２４】本発明を実施するための第６の形態の右側面図。
【図２５】本発明を実施するための第６の形態の左側面図。
【図２６】図２４の２６−２６線に沿う断面図。
【図２７】本発明を実施するための第７の形態の平面図。
【図２８】本発明を実施するための第７の形態の右側面図。
【図２９】本発明を実施するための第７の形態の左側面図。
【図３０】図２８の３０−３０線に沿う断面図。
【図３１】本発明を実施するための第８の形態の平面図。
【図３２】本発明を実施するための第８の形態の右側面図。
【図３３】本発明を実施するための第８の形態の左側面図。
【図３４】図３２の３４−３４線に沿う断面図。
【図３５】本発明を実施するための第９の形態の平面図。
【図３６】本発明を実施するための第９の形態の右側面図。
【図３７】本発明を実施するための第９の形態の左側面図。
【図３８】図３６の３８−３８線に沿う断面図。
【図３９】本発明を実施するための第１０の形態の使用状態の説明図。
【図４０】本発明を実施するための第１０の形態の平面図。
【図４１】本発明を実施するための第１０の形態の側面図。
【符号の説明】
【００２９】
１、１Ａ、１Ｂ、１Ｃ、１Ｄ、１Ｅ、１Ｆ、１Ｇ、１Ｈ、１Ｉ：リング、
２：イニシャル記入あるいはサイズ直し部、
２、３Ａ、３Ｂ：リング本体、  ４、４Ａ：飾り部材収納凹部、
５、５Ａ、５Ｂ、５Ｃ：飾り部材としての宝石、
６、６Ａ：飾り部材としての彫金、
７、７Ａ：飾り部材としての模様板。
【図１】
2008054733.tif 000003
【図２】
2008054733.tif 000004
【図３】
2008054733.tif 000005
【図４】
2008054733.tif 000006
【図５】
2008054733.tif 000007
【図６】
2008054733.tif 000008
【図７】
2008054733.tif 000009
【図８】
2008054733.tif 000010
【図９】
2008054733.tif 000011
【図１０】
2008054733.tif 000012
【図１１】
2008054733.tif 000013
【図１２】
2008054733.tif 000014
【図１３】
2008054733.tif 000015
【図１４】
2008054733.tif 000016
【図１５】
2008054733.tif 000017
【図１６】
2008054733.tif 000018
【図１７】
2008054733.tif 000019
【図１８】
2008054733.tif 000020
【図１９】
2008054733.tif 000021
【図２０】
2008054733.tif 000022
【図２１】
2008054733.tif 000023
【図２２】
2008054733.tif 000024
【図２３】
2008054733.tif 000025
【図２４】
2008054733.tif 000026
【図２５】
2008054733.tif 000027
【図２６】
2008054733.tif 000028
【図２７】
2008054733.tif 000029
【図２８】
2008054733.tif 000030
【図２９】
2008054733.tif 000031
【図３０】
2008054733.tif 000032
【図３１】
2008054733.tif 000033
【図３２】
2008054733.tif 000034
【図３３】
2008054733.tif 000035
【図３４】
2008054733.tif 000036
【図３５】
2008054733.tif 000037
【図３６】
2008054733.tif 000038
【図３７】
2008054733.tif 000039
【図３８】
2008054733.tif 000040
【図３９】
2008054733.tif 000041
【図４０】
2008054733.tif 000042
【図４１】
2008054733.tif 000043